(57)【要約】【課題】  フォーカス中のメニュー項目のガイダンスをメニューリストに重畳して表示するとき、ユーザが理解しているメニュー項目の場合はガイダンスを表示しないことにより、設定項目一覧の一部が隠れることが少なくなる制御方式を提供すること。【解決手段】複数の項目よりなるメニューに、ユーザー操作に応じてメニュー項目を登録する登録手段と、メニューに表示された複数のメニュー項目のうち何れかをユーザー操作に応じて選択する選択手段と、選択手段によって選択されたメニュー項目が、登録手段によって登録されたメニュー項目ではない場合には、選択されたメニュー項目に関するガイダンスをメニューの一部に表示するように制御し、選択手段によって選択されたメニュー項目が、登録手段によって登録されたメニュー項目である場合には選択されたメニュー項目に関するガイダンスを表示しないように制御する表示制御手段とを有する。【選択図】  図４
2018106317.tif 000002
【特許請求の範囲】
【請求項１】
複数の項目よりなるメニューに、ユーザー操作に応じてメニュー項目を登録する登録手段と、
前記メニューに表示された複数のメニュー項目のうち何れかをユーザー操作に応じて選択する選択手段と、
前記選択手段によって選択されたメニュー項目が、前記登録手段によって登録されたメニュー項目ではない場合には、該選択されたメニュー項目に関するガイダンスを前記メニューの一部に表示するように制御し、
前記選択手段によって選択されたメニュー項目が、前記登録手段によって登録されたメニュー項目である場合には該選択されたメニュー項目に関するガイダンスを表示しないように制御する表示制御手段と
を有することを特徴とする電子機器。
【請求項２】
前記ユーザが登録したメニュー項目をユーザが理解しているメニュー項目として記憶する手段を有し、
前記ユーザが理解しているメニュー項目と同じ項目名のメニュー項目はガイダンス（５４０）を表示しないことを特徴とする、請求項１に記載の制御方式。
【請求項３】
前記ユーザが登録したメニュー項目が削除された場合、
前記ユーザが理解しているメニュー項目から削除することを特徴とする、請求項２に記載の制御方式。
【請求項４】
前記ユーザが登録したメニュー項目が削除された場合、
前記ユーザが理解しているメニュー項目から削除しないことを特徴とする、請求項２に記載の制御方式。
【請求項５】
複数の項目よりなるメニューに、ユーザー操作に応じてメニュー項目を登録する登録ステップと、
前記メニューに表示された複数のメニュー項目のうち何れかをユーザー操作に応じて選択する選択ステップと、
前記選択ステップによって選択されたメニュー項目が、前記登録ステップによって登録されたメニュー項目ではない場合には、該選択されたメニュー項目に関するガイダンスを前記メニューの一部に表示するように制御し、
前記選択ステップによって選択されたメニュー項目が、前記登録ステップによって登録されたメニュー項目である場合には該選択されたメニュー項目に関するガイダンスを表示しないように制御する表示制御ステップと
を有することを特徴とする電子機器の制御方法。
【請求項６】
コンピュータを、請求項１乃至４のいずれか１項に記載された電子機器の各手段として機能させるためのプログラム。
【請求項７】
コンピュータを、請求項１乃至４のいずれか１項に記載された電子機器の各手段として機能させるためのプログラムを格納したコンピュータが読み取り可能な記憶媒体。
【発明の詳細な説明】
【技術分野】
【０００１】
本発明は、電子機機器に関し、特にメニュー画面の一部にガイダンスを表示する機器に関するものである。
【背景技術】
【０００２】
機器の設定項目に対する知識が無いユーザへのアシスト機能として、フォーカス（選択）中の項目のガイダンスを表示する機能が知られてる。また、ガイダンス専用の表示エリアを設けると設定項目一覧の表示エリアが狭くなるため、設定項目一覧上で且つフォーカス中（選択中）の項目の表示の邪魔にならない位置にガイダンスを重畳して表示する機能が知られている。
【０００３】
特許文献１では、ガイダンス表示の入り切りを設定可能であり、入りにすると一画面上に表示される複数のメニュー項目のうち、最下段又は最上段のメニュー項目をガイダンス表示に置き換えることが提案されている。
【先行技術文献】
【特許文献】
【０００４】
【特許文献１】特開2011-039602号公報
【発明の概要】
【発明が解決しようとする課題】
【０００５】
しかし、特許文献１ではガイダンスの表示でメニュー項目一覧の一部を隠してしまうため、ガイダンス表示中にメニュー項目一覧の全体を確認するためにはガイダンスの表示を消す必要があった。
【０００６】
そこで、本発明の目的は、フォーカス中のメニュー項目のガイダンスをメニューリストに重畳して表示するとき、ユーザが理解しているメニュー項目の場合はガイダンスを表示しないことにより、メニュー項目一覧の一部が隠れることが少なくなる制御方式を提供することである。
【課題を解決するための手段】
【０００７】
本発明の電子機器は、複数の項目よりなるメニューに、ユーザー操作に応じてメニュー項目を登録する登録手段と、
前記メニューに表示された複数のメニュー項目のうち何れかをユーザー操作に応じて選択する選択手段と、
前記選択手段によって選択されたメニュー項目が、前記登録手段によって登録されたメニュー項目ではない場合には、該選択されたメニュー項目に関するガイダンスを前記メニューの一部に表示するように制御し、
前記選択手段によって選択されたメニュー項目が、前記登録手段によって登録されたメニュー項目である場合には該選択されたメニュー項目に関するガイダンスを表示しないように制御する表示制御手段と
を有することを特徴とする。
【発明の効果】
【０００８】
本発明によれば、ユーザが理解しているメニュー項目のガイダンスは表示しないため、設定項目一覧の一部が隠れることが少なくなる表示を実現することが可能となる。
【図面の簡単な説明】
【０００９】
【図１】本発明の実施の形態に係る撮像装置（デジタル一眼レフカメラ）の外観図である。
【図２】図１に示した撮像装置のブロック図である。
【図３】メニュー画面のフローチャートである。
【図４】メニュー画面に重畳して表示するガイダンス表示のフローチャートである。
【図５】ガイダンス表示に関わるメニュー画面の表示例である。
【図６】マイメニューセットアップタブの制御方法のフローチャートである。
【図７】設定メニューの制御方法のフローチャートである。
【発明を実施するための形態】
【００１０】
以下に、本発明の好ましい実施の形態を、添付の図面に基づいて詳細に説明する。
［実施例１］
図１は、本発明の一実施形態の撮像装置の外観図である。図１に示すように、本実施形態は撮像装置を例にして説明するが、これに限定されない。１００は撮像装置本体を表す。１３０は画像や各種情報やメニュー画面を表示する液晶表示パネルである。つまり、１３０は、図２の表示部（２２６）に該当する具体的な表示装置である。操作部１１０、１１１、１１２、１１３、１１４、１１５、１２０、１２１、１２２、１２３、１２５、１２６、１２７は図２の操作部（２２７）に該当する具体的な操作部材を表している。
【００１１】
１１０はメニューボタンを表す。主にメニュー画面を表示部２２６に表示するために使用する。１１１はＱボタンを表す。１１２は再生ボタンを表す。主に画像を表示部２２６に表示するために使用する。１１３はセットボタンを表す。主に設定値を変更・決定するために使用する。１１４はメインダイヤルを表す。主に左右方向のフォーカスを移動するために使用する。１１５はサブダイヤルを表す。主に上下方向のフォーカスを移動するために使用する。１２０は十字ボタンを表す。１２２、１２３、１２６、１２７を総称して十字ボタンと表現する。
【００１２】
１２１は上下ボタンを表す。１２２、１２３を総称して上下ボタンと表現する。主に上下方向のフォーカスを移動するために使用する。１２２は上ボタンを表す。主に上方向のフォーカスを移動するために使用する。１２３は下ボタンを表す。主に下方向のフォーカスを移動するために使用する。１２５は左右ボタンを表す。１２６、１２７を総称して左右ボタンを表現する。主に左右方向のフォーカスを移動するために使用する。
【００１３】
１２６は左ボタンを表す。主に左方向のフォーカスを移動するために使用する。１２７は右ボタンを表す。主に右方向のフォーカスを移動するために使用する
図２は、撮像装置（１００）の構成を示す。制御部（２２１）は、入力された信号や、後述のプログラムに従って撮像装置（１００）の各部を制御する。なお、制御部（２２１）が装置全体を制御する代わりに、複数のハードウェアが処理を分担することで、装置全体を制御してもよい。本実施例における撮像装置（１００）は、後述の撮像部（２２３）を制御部（２２１）が制御することにより画像データを取得することができる。また、操作部（２２７）の操作によりメニュー画面を表示部（２２６）に表示する機能を有する。
【００１４】
なお、図１の液晶表示パネル１３０は表示部（２２６）の例である。メニュー画面では、後述の操作部（２２７）の操作でメニューボタン（１１０）が押された時に、制御部（２２１）が表示部（２２６）に表示する画面で、通常メニュー画面には、取得する画像データの大きさの選択、液晶表示パネル（１３０）の明るさ設定、表示する言語の選択などのメニューがあり、撮像装置（１００）の持つ機能の設定をユーザが操作部（２２７）を操作することにより変更や実行を可能とする画面である。
【００１５】
撮像部（２２３）は、撮像処理を行う。撮像処理とは、撮像部（２２３）に含まれるレンズで結像された被写体光を電気信号に変換し、ノイズ低減処理などを行いデジタルデータを画像データとして出力する処理である。撮像した画像データはバッファメモリに蓄えられた後、制御部（２２１）にて所定の演算を行い、記録媒体（２２８）に記録される。
【００１６】
不揮発性メモリ（２２４）は、電気的に消去・記録可能な不揮発性のメモリであり、制御部（２２１）で実行される後述のプログラムや設定等が格納される。作業用メモリ（２２５）は、撮像部（２２３）で撮像された画像データを一時的に保持するバッファメモリや、表示部（２２６）の画像表示用メモリ、通信部（２２２）を介して他の機器とやりとりするデータを一時的に保持するバッファメモリ、制御部（２２１）の作業領域として使用される。
【００１７】
操作部（２２７）は、ユーザが撮像装置（１００）の動作を指示するために用いられる。操作部（２２７）は例えば、前述のメニュー画面を表示するためのメニューボタン（１１０）、画面表示中の操作を受け付ける十字ボタン（１２２、１２３、１２６、１２７）、タッチパネルなどの操作部材を含む。
【００１８】
表示部（２２６）は、撮像の際のスルー画像の表示、撮像した画像データの表示、対話的な操作のための文字表示などを行う。本実施例において制御部（２２１）は、撮像部（２２３）から出力された画像データを、スルー画像として逐次更新しながら連続して表示部（２２６）に表示するよう制御する。これにより、表示部（２２６）には撮像部（２２３）により撮像される画像データがリアルタイムに逐次表示される。なお、表示部（２２６）は撮像装置（１００）が備える必要はなく、撮像装置（１００）は表示部（２２６）と接続することができ、表示部（２２６）の表示を制御する表示制御機能を少なくとも有していればよい。
【００１９】
通信部（２２２）は、外部機器、例えばパーソナルコンピュータや携帯電話、スマートフォンやいわゆるタブレットデバイスやプリンタと通信するための接続部である。なお、この通信部（２２２）は、撮像装置（１００）が例えばインターネット等のネットワークに接続する際にも利用される。
【００２０】
記録媒体（２２８）は、撮像部（２２３）から出力された画像データを記録することができる。なお、記録媒体（２２８）は、撮像装置（１００）に着脱可能なよう構成してもよいし、撮像装置（１００）に内蔵されていてもよい。すなわち、撮像装置（１００）は少なくとも記録媒体（２２８）にアクセスする手段を有していればよい。以上が撮像装置（１００）の説明である。
【００２１】
図５-１〜８は、メニューの表示例である。図５-１は、メニューボタン（１１０）を押下した時に表示部（２２６）に表示されるメニュー画面の一例を示したものである。図示するように、画面上部からに横方向に整列しているのが大タブ（５１０）であり、黒塗り部はフォーカスが当たっている大タブであることを示している。フォーカスが当たっている大タブに所属する小タブの一覧が小タブ（５２０）であり、黒塗り部はファーカスがあたっている小タブであることを示している。
【００２２】
現在フォーカスが当たっている小タブに所属するメニュー項目の一覧がメニュー項目（５３０）であり、黒塗り部は現在フォーカスが当たっているメニュー項目（５３１）であることを示している。各小タブ（５２０）はそれぞれに所属するメニュー項目（５３０）を持っており、一つの小タブに最大で６つのメニュー項目が所属している。メニュー項目（５３０）は小タブのフォーカス移動に応じて小タブに所属するメニュー項目の数だけ表示される。下部の何も表示していない場所はメニュー項目を表示しないがガイダンス表示場所として扱う場所（５３２）である。
【００２３】
ガイダンスを表示する位置は２つあり、画面上部に表示されるガイダンス表示位置が上側のガイダンス表示位置（５５３）であり、画面下部に表示されるガイダンス表示位置が下側のガイダンス表示位置（５５５）である。
【００２４】
フォーカス中のメニュー項目（５３１）が上側下側どちらのガイダンス位置にも重ならない位置（５５４）が重なりが無い位置（５５４）である。重なりが無い位置（５５４）は３つのグループに分けることが可能である。１つ目はガイダンスを下側に表示する、重なりが無い位置上部（５５６）、２つ目は前回のフォーカス位置によりガイダンスの表示位置を決定するガイダンスの表示が不定な位置（５５７）、３つ目はガイダンスを上側に表示する、重なりが無い位置下部（５５８）である。
【００２５】
重なりが無い位置上部（５５６）と重なりが無い位置下部（５５８）を設けることにより、フォーカス中のメニュー項目（５３１）とガイダンス（５４０）を隣接して表示することがなくなり、見やすさの向上につながる。ガイダンス表示位置を決定する制御は図４を用いて後述する。
【００２６】
図５−２はガイダンス（５４０）の表示位置が上側の位置（５５３）のときのガイダンスの表示例である。図５−３はガイダンス（５４０）の表示位置が下側の位置（５５５）のときのガイダンスの表示例である。図５−４はガイダンス表示位置を下側の位置に固定するメニュー表示の一例を示したものである。表示中の小タブ（５２０）に所属するメニュー項目（５３０）が下側のガイダンス表示位置（５５５）に重ならないため、ガイダンスの表示は下側の位置に固定される。
【００２７】
図５−５は表示中の小タブ（５２０）に所属するメニュー項目（５３０）が１つであるときのメニュー表示の一例を示したものである。本実施例では大タブ（５１０）および小タブ（５２０）のフォーカス移動が伴わないメニュー項目のフォーカス移動時にガイダンスを表示する構成であるが、メニュー項目が１つだけの場合はガイダンスを表示するタイミングがないため、１つだけの場合は常時ガイダンスを表示する。
【００２８】
図５−６はマイメニュー表示の一例を示したものである。マイメニューは、マイメニュータブ（５１１）以外の各タブに属するメニュー項目を、ユーザが任意に登録することの可能な登録式のメニューである。メニュー項目はカメラ機能の高度化に伴い相当の数になるため、ユーザが頻繁に利用するメニュー項目をマイメニュータブ（５１１）に登録することで素早く所望のメニュー項目にたどり着くことを可能としている。ユーザが設定メニュー（５６２）からマイメニュー項目を登録すると、登録したメニュー項目（５６１）に表示する。
【００２９】
図５−７はマイメニュータブ（５１１）全体を制御するメニュー項目が含まれる小タブであるマイメニューセットアップタブの一例を示したものである。初期状態ではマイメニュータブ（５１１）に含まれる小タブ（５２０）はマイメニューセットアップタブ１つだけであり、マイメニュータブ（５１１）を制御する設定項目である、マイメニュータブの追加（５７１）、マイメニュータブの全削除（５７２）、全項目削除（５７３）、が含まれる。
【００３０】
図５−８は追加した小タブに含まれる設定メニュー（５６２）のサブ項目の一例を示したものである。設定メニューには、マイメニュー小タブを制御する設定項目である、登録項目の選択（５８１）、選択して削除（５８２）、タブ内の全項目削除（５８３）タブの削除（５８４）が含まれる。
【００３１】
次に図３のフローチャートを用いて、メニュー画面の制御方法について説明する。表示部（２２６）にメニュー画面が表示されていない状態のとき、Ｓ３０１において、制御部（２２１）はユーザによりメニューボタン（１１０）が押されたかを判定し、メニューボタン（１１０）が押された場合はＳ３０２へ進み、押されていない場合は再びメニューボタン（１１０）が押されるか確認するためＳ３０１の条件判定を行う。
【００３２】
Ｓ３０２において、制御部（２２１）は表示部（２２６）にメニュー画面（図５−１）を表示し、Ｓ３０３において、制御部（２２１）はガイダンス表示の関する制御を行い、Ｓ３０４に進む。Ｓ３０３については図４で後述する。Ｓ３０４において、制御部（２２１）はユーザによりＱボタン（１１１）が押されたか、または、タッチパネルで大タブ（５１０）をタッチされたかを判定し、合致した場合はＳ３０５に進み、合致しない場合はＳ３０６に進む。
【００３３】
Ｓ３０５において、制御部（２２１）はメニュー画面にガイダンス（５４０）が表示されている場合にガイダンス（５４０）を非表示にしてＳ３０９に進む。Ｓ３０６において、制御部（２２１）はユーザによりメインダイヤル（１１４）が操作されたか、または、左右ボタン（１２５）が押されたか、または、タッチパネルで小タブ（５２０）をタッチされたかを判定し、合致した場合はＳ３０７に進み、合致しない場合はＳ３１２に進む。
【００３４】
Ｓ３０７において、制御部（２２１）はメニュー画面にガイダンス（５４０）が表示されている場合にガイダンス（５４０）を非表示にしてＳ３０８に進む。Ｓ３０８において、制御部（２２１）は小タブ（５２０）のフォーカス移動により大タブ（５１０）の移動が発生したか否かを判定し、大タブ（５１０）の移動が発生した場合はＳ３０９に進み、大タブ（５１０）の変更が無い場合はＳ３１０に進む。Ｓ３０９において、制御部（２２１）は大タブ（５１０）の変更に伴う表示の更新をしてＳ３１０に進む。
【００３５】
Ｓ３１０において、制御部（２２１）は小タブ（５２０）の変更に伴う表示の更新をしてＳ３１１に進む。Ｓ３１１において、制御部（２２１）は前回のフォーカス位置の設定を初期化してＳ３１４に進む。Ｓ３１２において、制御部（２２１）はユーザによりサブダイヤル（１１５）が操作されたか、または、上下ボタン（１２１）が押されたか、または、タッチパネルでフォーカスしているメニュー項目以外のメニュー項目をタッチされたかを判定し、合致した場合はＳ３１３に進み、合致しない場合はＳ３１６に進む。
【００３６】
Ｓ３１３において、制御部（２２１）はメニュー画面にガイダンス（５４０）が表示されている場合にガイダンス（５４０）を非表示にしてＳ３１４に進む。Ｓ３１４において、制御部（２２１）はフォーカスするメニュー項目の変更に伴う表示の更新をして、Ｓ３１５において、制御部（２２１）はガイダンス表示の関する制御を行い、Ｓ３１９に進む。Ｓ３１５については図４で後述する。
【００３７】
Ｓ３１６において、制御部（２２１）はユーザによりセットボタン（１１３）が操作されたか、または、タッチパネルでフォーカスしているメニュー項目がタッチされたかを判定し、合致した場合はＳ３１７に進み、合致しない場合はＳ３２１に進む。Ｓ３１７において、制御部（２２１）はメニュー画面にガイダンス（５４０）が表示されている場合にガイダンス（５４０）を非表示にしてＳ３１８に進む。Ｓ３１８において、制御部（２２１）はフォーカスしているメニュー項目に応じた処理を行い、処理が完了して元のメニュー画面を表示したらＳ３２０に進む。
【００３８】
Ｓ３１９において、制御部（２２１）は前回のフォーカス位置の設定を今回のフォーカス位置に更新してＳ３２１に進む。Ｓ３２０において、制御部（２２１）はガイダンス表示の関する制御を行い、Ｓ３１９に進む。Ｓ３２０については図４で後述する。Ｓ３２１において、制御部（２２１）はユーザによりメニューボタン（１１０）が押されたかを判定し、メニューボタン（１１０）が押された場合はＳ３２２へ進み、押されていない場合はＳ３０３へ進む。Ｓ３２２において、制御部（２２１）は表示部（２２６）のメニュー画面（図５−１）の表示を消して、処理を終了する。
【００３９】
次に図４のフローチャートを用いて、ガイダンス表示処理（Ｓ３０３、Ｓ３１５、Ｓ３２０）の詳細を説明する。ここでは表示部（２２６）にガイダンス（５４０）を表示する処理を行う。
【００４０】
Ｓ４００において、制御部（２２１）はマイメニュータブで且つユーザが登録したマイメニュー項目にフォーカスしているか判定し、合致しない場合はＳ４０１へ進み、合致した場合は処理を終了する。すなわち、マイメニュータブにあるユーザが登録したマイメニュー項目にフォーカスしている場合はガイダンスを表示しない。Ｓ４０１において、制御部（２２１）はユーザによる直前の操作がタブ移動を伴わないメニュー項目のフォーカス移動かを判定し、合致しない場合はＳ４０２へ進み、合致した場合はＳ４０３に進む。
【００４１】
Ｓ４０２において、制御部（２２１）は表示中のメニュー項目の数を判定し、１つだけの場合はＳ４０８へ進み、２つ以上の場合は処理を終了する。メニュー項目の数が１つの場合のメニューの表示例が前述した図５−５である。Ｓ４０３において、制御部（２２１）は現在フォーカスしているメニュー項目に対するガイダンスの表示位置が下側固定であるかを判定し、下側固定の場合はＳ４０８へ進み、合致しない場合はＳ４０４へ進む。
【００４２】
Ｓ４０４において、制御部（２２１）は現在フォーカスしているメニュー項目に対するガイダンス表示場所は上側固定であるかを判定し、上側固定の場合はＳ４０７へ進み、そうでない場合はＳ４０５へ進む。Ｓ４０５において、制御部（２２１）は前回のフォーカス位置が現在のフォーカス位置より上側に位置しているか判定し、合致した場合はＳ４０７へ進み、合致しない場合はＳ４０８へ進む。Ｓ４０５にたどり着くフォーカス位置を求める判定式は次のようになる。
【００４３】
Ｇ＋Ｓ  ＜  ｎ  ≦  Ｍ−（Ｇ＋Ｓ）
Ｇ：説明文の表示に必要な行数
Ｓ：説明文の表示場所と選択中のメニュー項目の間の最低行数
０ ≦ Ｓ ≦ (Ｍ− (Ｍ ｍｏｄ ２))÷２)―Ｇ
ｎ：選択中のメニュー項目の位置
Ｍ：１画面のメニュー項目の最大行数（このメニュー項目は、メニュー項目以外の用途に使われていても可とする）
【００４４】
本実施例では、Ｇ＝２、Ｓ＝１、Ｍ＝７（図５の５３０と５３２の行数を足した数）であるため、
３  ＜  ｎ  ≦  ４
すなわち、４行目の項目にフォーカスしている場合に前回のフォーカス位置を参照してガイダンスの表示位置を決定する制御を行う。
【００４５】
上記で説明した判定式により、Ｓ４０３の判定式は
Ｇ＋Ｓ  ≧  ｎ  つまり、３  ≧  ｎ
Ｓ４０４の判定式は
Ｍ−（Ｇ＋Ｓ）＜  ｎ  つまり、４  ＜  ｎ
となる。
Ｓの値は、
０ ≦ Ｓ ≦ (７− (７ ｍｏｄ ２))÷２)−２  つまり、  ０ ≦ Ｓ ≦ １
となる。
【００４６】
本実施例ではフォーカス中のメニュー項目（５５３）とガイダンス（５４０）を隣接して表示させないことによる見やすさの向上を考慮してＳ＝１としたが、Ｓ＝０としてもよい。
【００４７】
Ｓ４０６において、制御部（２２１）は前回のフォーカス位置が現在フォーカスしている位置よりも上側の場合はＳ４０７へ進み、下側の場合はＳ４０８へ進む。Ｓ４０７において、制御部（２２１）は上側にガイダンスを表示してＳ４０９へ進む。上側にガイダンスを表示する場合のメニューの表示例が前述した図５−２である。Ｓ４０８において、制御部（２２１）は下側にガイダンスを表示してＳ４０９へ進む。下側にガイダンスを表示する場合のメニューの表示例が前述した図５−３である。
【００４８】
Ｓ４０９において、制御部（２２１）は一定の時間経過後にガイダンスを非表示にして、処理を終了する。一定時間経過前にユーザが操作すると前述した図３のＳ３０５、Ｓ３０７、Ｓ３１３、Ｓ３１７等の処理によりガイダンスを非表示にするため、一定時間経過後のガイダンスを非表示にする処理では何も処理しないこととなる。
【００４９】
［実施例２］
図１〜３、図５は実施例１と同じ構成であるため説明を省略する。図４のフローチャートでは、Ｓ４００の判定が実施例１と異なる。Ｓ４００以外のステップは実施例１と同じ構成であるため説明を省略する。
【００５０】
Ｓ４００において、制御部（２２１）はマイメニュー項目リストに含まれるメニュー項目にフォーカスしているか判定し、合致しない場合はＳ４０１へ進み、合致した場合は処理を終了する。すなわち、ユーザがマイメニューに登録したメニュー項目は、マイメニュータブ以外に存在するメニュー項目も含めてガイダンスを表示しない。マイメニュー項目リストへの追加および削除は、図６、図７で後述する。
【００５１】
次に図６のフローチャートを用いて、マイメニューセットアップタブ（図５−７）に含まれる各設定項目の制御方法について説明する。Ｓ６０１において、制御部（２２１）はマイメニュータブの追加（５７１）が実行されたかを判定し、合致した場合はＳ６０２へ進み、合致しない場合はＳ６０３に進む。Ｓ６０２において、制御部（２２１）はマイメニュータブに小タブを１つ追加して処理を終了する。
【００５２】
Ｓ６０３において、制御部（２２１）はマイメニュータブの全削除（５７２）が実行されたかを判定し、合致した場合はＳ６０４へ進み、合致しない場合はＳ６０６に進む。Ｓ６０４において、制御部（２２１）はマイメニュー項目リストに含まれる全てのメニュー項目名を削除してＳ６０５に進む。Ｓ６０５において、制御部（２２１）はマイメニュータブ（５１１）からマイメニューセットアップタブ以外の小タブを削除して処理を終了する。
【００５３】
Ｓ６０６において、制御部（２２１）は全項目削除（５７３）が実行されたかを判定し、合致した場合はＳ６０７へ進み、合致しない場合は処理を終了する。Ｓ６０７において、制御部（２２１）はマイメニュー項目リストに含まれる全てのメニュー項目名を削除してＳ６０８に進む。Ｓ６０８において、制御部（２２１）はマイメニュータブ（５１１）で表示しているユーザが登録したメニュー項目を削除して処理を終了する。
【００５４】
次に図７のフローチャートを用いて、設定メニュー（５６２）に含まれる各設定項目の制御方法について説明する。Ｓ７０１において、制御部（２２１）は登録項目の選択（５８１）が実行されたかを判定し、合致した場合はＳ７０２へ進み、合致しない場合はＳ７０５に進む。Ｓ７０２において、制御部（２２１）はマイメニュータブに登録可能なメニュー項目を表示してＳ７０３に進む。
【００５５】
Ｓ７０３において、制御部（２２１）はユーザが登録可能なメニュー項目から選択したメニュー項目をカレントのマイメニュー小タブに登録してＳ７０４に進む。Ｓ７０４において、制御部（２２１）はユーザが登録可能なメニュー項目から選択したメニュー項目をマイメニュー項目リストに登録して処理を終了する。
【００５６】
Ｓ７０５において、制御部（２２１）は選択して削除（５８２）が実行されたかを判定し、合致した場合はＳ７０６へ進み、合致しない場合はＳ７０９に進む。Ｓ７０６において、制御部（２２１）はカレントのマイメニュー小タブに登録されているメニュー項目を表示してＳ７０３に進む。Ｓ７０７において、制御部（２２１）はユーザがカレントのマイメニュー小タブに登録されているメニュー項目をマイメニュー項目リストから削除してＳ７０８に進む。Ｓ７０８において、制御部（２２１）はユーザがカレントのマイメニュー小タブに登録されているメニュー項目から選択したメニュー項目をカレントの小タブから削除して処理を終了する。
【００５７】
Ｓ７０９において、制御部（２２１）は選択してタブ内の全項目削除（５８３）が実行されたかを判定し、合致した場合はＳ７１０へ進み、合致しない場合はＳ７１２に進む。Ｓ７１０において、制御部（２２１）はカレントのマイメニュー小タブに登録されているメニュー項目全てをマイメニュー項目リストから削除してＳ７１１に進む。Ｓ７１１において、制御部（２２１）はカレントのマイメニュー小タブに登録されているメニュー項目全てをカレントの小タブから削除して処理を終了する。
【００５８】
Ｓ７１２において、制御部（２２１）は選択してタブ内の全項目削除（５８３）が実行されたかを判定し、合致した場合はＳ７１３へ進み、合致しない場合は処理を終了する。Ｓ７１３において、制御部（２２１）はカレントのマイメニュー小タブに登録されているメニュー項目全てをマイメニュー項目リストから削除してＳ７１４に進む。Ｓ７１４において、制御部（２２１）はカレントのマイメニュー小タブを削除して処理を終了する。
【００５９】
実施例２では、マイメニューからのメニュー項目削除に伴い、マイメニュー項目リストからも削除してユーザが理解していないメニュー項目として扱うようにしたが、メニュー項目を削除してもリストからは削除せずに、ユーザが理解しているメニュー項目として扱う構成としてもよい。このような構成の場合は、マイメニュー項目リストからメニュー項目を削除するＳ６０４、Ｓ６０７，Ｓ７０７、Ｓ７１０、Ｓ７１３の処理を無くせばよい。
【００６０】
以上、本発明の好ましい実施形態について説明したが、本発明はこれらの実施形態に限定されず、その要旨の範囲内で種々の変形及び変更が可能である。
【００６１】
なお、制御部（２２１）が行うものとして説明した上述の各種制御は、１つのハードウェアが行ってもよいし、複数のハードウェアが処理を分担することで、装置全体の制御を行ってもよい。
【００６２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６３】
また、上述した実施形態においては、本発明を撮像装置に適用した場合を例にして説明したが、これはこの例に限定されず、ユーザーがメニュー一覧に表示するメニュー項目を設定可能な電子機器置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置などに適用可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１００  撮像装置本体
１３０  表示装置
１１０  メニューボタン
【図１】
2018106317.tif 000003
【図２】
2018106317.tif 000004
【図３】
2018106317.tif 000005
【図４】
2018106317.tif 000006
【図５】
2018106317.tif 000007
【図６】
2018106317.tif 000008
【図７】
2018106317.tif 000009